(57)【特許請求の範囲】
【請求項１】
一次射出により各成型される第一成型体と第二成型体とを、金型移動により互いに突合せた後、該突合せ部に二次射出して一体化するように構成してなる射出成型体の製造方法において、前記第一成型体であるレンズ部は隣接して複数個が別体形成され、第二成型体であるランプハウジングは一体物として形成された後、前記複数のレンズ部と一体物のランプハウジングとを突合わせた各突合せ部にそれぞれ樹脂材を二次射出することで複数のランプ部を有するリアコンビネーションランプを製造するにあたり、前記複数のレンズ部は略平板形状をし、これら各レンズ部の周縁にはランプハウジング側に突出するリブ部を有すると共に、隣接するリブ部同志の各対向間には二次射出スペースが形成されたものとし、ランプハウジングは、前記複数のレンズ部に対応した数の椀底部を有し、該椀底部の椀周壁のうち隣接する椀周壁の隣接対向する壁先端部同志は連結部によって一連状に連結された一体物となっており、前記複数のレンズ部とランプハウジングとの突合わせには、リブ部の先端と連結部との突合せを含むものとし、二次射出は、ランプハウジングを成型した不透光の樹脂材が射出されるものとして、前記不透光の樹脂材を、前記連結部からレンズ部の表面に至るまでの前記二次射出スペースに充填したことを特徴とするリアコンビネーションランプである射出成型体の製造方法。
【請求項２】
請求項１において、少なくとも三つのランプ部を有していることを特徴とするリアコンビネーションランプである射出成型体の製造方法。
【発明の詳細な説明】
【技術分野】
【０００１】
本発明は、車両に搭載されるリヤまたはフロントコンビネーションランプである射出成形体の製造方法の技術分野に属するものである。
【背景技術】
【０００２】
従来、この種の射出成形体を製造するにあたり、一次射出により成型された第一、第二の成型体同志を金型の移動により突合せた後、該突合せ面部に樹脂材を二次射出して一体化する所謂ダイスライドインジェクション方式が知られている。この方式は、例えば特公平２−３８３７７号公報に記載されているが、このものは、可動型と固定型を対向配設した状態で第一、第二成型体を各別に型成形（一次成型）した後、可動型を脱型移動、スライド移動して第一、第二成型体同志を突き合わせ、この突き合わせ面部の外周に形成される凹溝に樹脂材を二次射出して射出成型体を型成形（二次成型）するようにしている。
【発明の開示】
【発明が解決しようとする課題】
【０００３】
ところがこのものでは、第一、第二成型体を各一個づつ成型し、これを突合せて一体化するものであるため、例えばテールランプのようにストップランプとウインカーランプのようにレンズ部の色が異なったもの同志を組み合わせて製造しようとしたときに、両レンズ部は色が異なる樹脂材が採用されるため、前記従来のダイスライドインジェクション方式では成型することができないという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、一次射出により各成型される第一成型体と第二成型体とを、金型移動により互いに突合せた後、該突合せ部に二次射出して一体化するように構成してなる射出成型体の製造方法において、前記第一成型体であるレンズ部は隣接して複数個が別体形成され、第二成型体であるランプハウジングは一体物として形成された後、前記複数のレンズ部と一体物のランプハウジングとを突合わせた各突合せ部にそれぞれ樹脂材を二次射出することで複数のランプ部を有するリアコンビネーションランプを製造するにあたり、前記複数のレンズ部は略平板形状をし、これら各レンズ部の周縁にはランプハウジング側に突出するリブ部を有すると共に、隣接するリブ部同志の各対向間には二次射出スペースが形成されたものとし、ランプハウジングは、前記複数のレンズ部に対応した数の椀底部を有し、該椀底部の椀周壁のうち隣接する椀周壁の隣接対向する壁先端部同志は連結部によって一連状に連結された一体物となっており、前記複数のレンズ部とランプハウジングとの突合わせには、リブ部の先端と連結部との突合せを含むものとし、二次射出は、ランプハウジングを成型した不透光の樹脂材が射出されるものとして、前記不透光の樹脂材を、前記連結部からレンズ部の表面に至るまでの前記二次射出スペースに充填したことを特徴とするリアコンビネーションランプである射出成型体の製造方法である。
請求項２の発明は、請求項１において、少なくとも三つのランプ部を有していることを特徴とするリアコンビネーションランプである射出成型体の製造方法である。
【発明の効果】
【０００５】
そして請求項１または２の発明とすることにより、大型のコンビネーションランプを効率よく生産することができる。
【発明を実施するための最良の形態】
【０００６】
次ぎに、図面の記載に基づいて本発明の実施の形態および参考例について説明する。図面において、図１〜図１０までは第一〜第三の参考例であり、図１１以降が本発明の実施の形態であるが、まず前記各参考例について説明する。図１〜図６は第一の参考例を示すものであって、これら図面において、１は車両に組み込まれ、遠目用と近目用のランプ部があるヘッドランプやテールランプに代表される二連のランプであって、該二連ランプ１は、第一ランプ部２と第二ランプ部３とが隣接する状態で一体に形成されたものであり、そして本実施の形態では、両ランプ部２、３のレンズ部２ａ、３ａは別体であるが、対応するバルブ（光源：電球）４、５が組み込まれるハウジング６は共通する一体物となっている。つまり、ハウジング６には、両ランプ部２、３を連結するための連結部６ａが形成されている。
【０００７】
次に、前記二連ランプ１を成型するための手順について図面を用いて説明する。図２に示す工程は一次射出する第一工程を示すが、ここにおいて７は第一金型、８は第二金型であって、本実施の形態では第二金型８が第一金型７に対して離接移動とスライド移動とをする設定になっているが、該移動するための具体的構成は従来の技術を採用しているため、その詳細については省略する。
第一金型７、第二金型８には、隣接する各レンズ部２ａ、３ａとハウジング６とを各成型するための型部７ａ、７ｂ、７ｃ、８ａ、８ｂ、８ｃが形成されているが、さらに後述する二次射出スペースＳを形成するため、第一金型７には等目凸型部７ｄ、７ｅがレンズ部２ａ、３ａの外周を囲繞するようにして形成されている。そして図２に示すように、第一、第二金型７、８が型合わせされた状態でレンズ部２ａ、３ａそしてハウジング６を成型すべく樹脂材が各別に一次射出される。これらの樹脂材は、各別に射出されるため同材であっても異材であっても良いことはいうまでもない。
【０００８】
ついで図３に示す第二工程では、第二金型８が第一金型７から離間移動をして脱型され、この脱型状態で、レンズ部２ａ、３ａは第一金型７側に型保持され、ハウジング６は第二金型８側に型保持される。この脱型状態でバルブ４、５等の必要部品が組み込まれた後、図４の第三工程で示すように第二金型８をスライド移動して前記レンズ部２ａ、３ａとハウジング６とを互いに対向せしめた後、図５の第四工程で示すように第二金型８を第一金型７に近接移動して型合わせをする。この型合わせ状態では、レンズ部２ａ、３ａの周縁部がハウジング６に対して断面略Ｌ字形をする状態で突合され、該各突合せ面９の外側に二次射出スペースＳ、Ｓａが形成される。次に、図６の第五工程に示すように、前記二次射出スペースＳ、Ｓａに樹脂材９、１０が二次射出され、これによってランプ１が一連の製造工程により成型される。因みに、二次射出される樹脂材９、１０は一次射出されるレンズ部２ａ、３ａと同じ材質としても良く、またハウジング６と同じ材質としても良く、さらにはこれらと異なる材質としてもよい。
因みに、本実施の形態ではバルブ４、５は予め組み込んでおく非交換方式のもので実施されているが、後述する実施の形態のように後付けが可能な交換可能方式としても実施できることはいうまでもなく、この場合には、一次射出工程から二次射出工程のあいだでのバルブ組み込み工程は省略できる。
【０００９】
叙述の如く構成された第一の参考例において、第一、第二のランプ部２、３を有する二連のランプ１を製造するにあたり、レンズ部２ａ、３ａを各別に一次射出することで、レンズ部２ａ、３ａに異なった機能（例えば色）を持たせることができる二連ランプ１になりながら、その製造を、一次、二次の射出による一連の射出工程により簡単にできることになる。この結果、ダイスライドインジェクション方式により製造されるものでありながら、二連ランプ１の製造ができることになる。
【００１０】
次に、図７、図８に第二の参考例を示すが、このものは、レンズ部１１側を一体物とし、ハウジング側を第一、第二ハウジング１２、１３となるように一次射出で成型し、これら一次成型されたレンズ部１１、第一、第二ハウジング１２、１３を二次射出された樹脂材１８により一体化するように構成したものである。
さらに図９、図１０に示す第三の参考例のものは、レンズ部１４、１５、ハウジング１６、１７の何れも別体のものとして一次射出により成型し、その後、樹脂材１８を二次射出してこれらを一体化するに際し、該樹脂材１８が、レンズ部１４とハウジング１６との一体化、レンズ部１５とハウジング１７との各一体化に加えて、これら一体化されるランプ部同志の連結部（接続部）１８ａを構成するように設定し、これによって両ランプ部を一連状に連結した二連ランプの射出成型ができ、このようにして本発明を実施しても良い。そしてこの場合には、レンズ部１４、１５、ハウジング１６、１７を全て異材のもので形成できるという利点がある。
因みに、第三の参考例のものにおいては、図１０に示すように連結部１８ａを形成する部位の金型１９、１９ａを第一金型２０に対して交換自在（第二金型は符号２０ａで引きだした）とし、一方の金型１９を使用した状態（Ａ）で二次射出した場合には連結部１８ａがある二連ランプが成型され、他方の金型１９ａを使用した状態（Ｂ）で二次射出した場合には二個のランプ部が各別に成型されるように設定し、このようにすることで、必要に応じて二連ランプと一対の単一ランプとが任意に製造できるという利点がある。
【００１１】
さらにまた、本発明は、図１１〜１８に示す実施の形態として実施することができる。このものは車両の後部に組み込まれるリヤコンビネーションランプ２１であって、該リアコンビネーションランプ２１は、一連状に隣接する状態で、バックランプ部２２、ウインカーランプ部２３、ストップランプ部２４を構成する各光源（何れも後付けのバルブ）２５、２６、２７が組込まれたランプハウジング２８と、これら光源２５、２６、２７に各対応するレンズ部２９、３０、３１とを備えて構成されるが、これらランプハウジング２８とレンズ体２９、３０、３１とは次のようにして一体形成されている。
【００１２】
つまり、前記ランプハウジング２８を構成する各ランプ部２２、２３、２４は、略椀形状に形成され、その椀底部２２ａ、２３ａ、２４ａに光源２５、２６、２７が組み込まれ、各椀周壁２２ｂ、２３ｂ、２４ｂのうち隣接する周壁間同志２２ｂと２３ｂ、２３ｂと２４ｂは、壁先端部が連結部２８ａ、２８ｂによつて一連状に連結された一体物となっている。尚、椀周壁同志２２ｂと２３ｂ、２３ｂと２４ｂとが対向隣接する部位については、本実施の形態のように二枚状に分割した構造にすることなく、一体化した一枚状の椀周壁として構成することも勿論できる。
【００１３】
一方、レンズ部２９、３０、３１は後述するように各別に成型されたものであって、周縁がランプハウジング２８側に少し突出してリブ部２９ａ、３０ａ、３１ａになった略平板形状をし、このリブ部２９ａ、３０ａ、３１ａがランプハウジング２８の椀周壁２２ｂ、２３ｂ、２４ｂの先端縁部２８ａに後述するように二次射出される樹脂材３６により固着（接着）される構成になっている。
【００１４】
さて次に、前記リアコンビネーションランプ２１の製造工程を図１４〜図１８を用いて説明する。このリヤコンビネーションランプ２１は、所謂ダイスライドインジェクション方式による一連の射出により成型されるが、図面において、３４は第一金型、３５は第二金型であって、本実施の形態では、第一金型３４は固定型、第二金型３５は第一金型３４に対して離接移動が可能で、かつ型面方向に対してスライド移動が可能な設定になっている。因みに、両金型３４、３５の移動は相対的なものであれば足り、従って本発明を実施できるものであれば型移動の構成については格別問わないものである。そしてこれら金型３４、３５には、ハウジング成型部３４ａ、３５ａとレンズ部成型部３４ｂ、３５ｂとがそれぞれ形成されており、次にこれらの構成について説明する。
【００１５】
まず第一金型３４であるが、このハウジング成型部３４ａには、ハウジング２８の椀内面を形成するための三連のハウジング用凸型部３４ｃが形成されると共に、後述するように各別に成型されるレンズ部２９、３０、３１が突き当たる外周縁部には、後述の二次射出スペースＳをハウジング２８の突き当たり面部に形成するためのスペース用凸型部３４ｄが形成されている。一方、レンズ成型部３４ｂには、各レンズ部２９、３０、３１の外面を形成するためのレンズ用型部３４ｅが形成されている。
【００１６】
これに対し、第二金型３５であるが、このハウジング成型部３５ａにはハウジング２８の外面を成型するためのハウジング用型部３５ｃが形成される一方、レンズ成型部３５ｂには、各レンズ内面を成型するためのレンズ用型部３５ｄが形成されるが、さらに隣接するレンズ部同志２９と３０、３０と３１のあいだには、後述する二次射出スペースＳを形成するためのスペース用型部３５ｅが形成されている。そしてこれらスペース用型部３４ｄ、３５ｅ、３５ｆによつて形成される二次射出スペースＳはコーナー部において連通するように型設定されている。
【００１７】
次にこのような型設定された第一、第二金型３４、３５を用いてリヤコンビネーションランプ２１を射出成型する手順について説明する。まず、図１４で示される第一工程では、両金型３４、３５のハウジング成型部同志３４ａ、３５ａ、レンズ成型部同志３４ｂ、３５ｂが対向する状態で型合わせされ、ハウジングスペースに不透光の樹脂材が一次射出されてハウジング２８が成型される一方、各レンズ部スペースには、透光で、かつ無色あるいは赤や黄色に着色された樹脂材が対応するレンズ部スペースにそれぞれ一次射出されてレンズ部２９、３０、３１が成型される。
【００１８】
ついで図１５に示す第二工程では、第二金型３５が第一金型３４から離間する方向に移動して脱型され、この場合に、ハウジング２８は第二金型３５側に、レンズ部２９、３０、３１は第一金型３４側に付着する設定になっている。尚、本実施の形態では、この脱型状態で、ハウジング成型部３５ａの各椀部に対応する反射板３７、３８、３９が後付けされる状態で組み込まれる。
【００１９】
ついで、図１６の第三工程に示す如く、ハウジング成型部３５ａが第一金型３４のレンズ成型部３４ｂに対応する位置まで第二金型３５がスライド移動した後、図１７の第四工程に示す如く、該ハウジング成型部３５ａとレンズ成型部３４ｂとが型合わせされるよう第二金型３５が第一金型３４側に移動する。この型合わせ状態で、前述した二次射出スペースＳが形成され、該射出スペースＳに、例えばハウジング２８を成型した樹脂材３６を二次射出し（図１８）、これによってハウジング２８に各レンズ部２９、３０、３１、が一体に固着されたコンビネーションランプの外殻が形成され、これに電球２５、２６、２７を後付けする等して組み込むことでコンビネーションランプ２１が形成され、このようにすることで、レンズ部面積が大きいコンビネーションランプ２１を簡単に型成型することができる。
【図面の簡単な説明】
【００２０】
【図１】第一の参考例が実施された二連ランプを示すものであって、（Ａ）は正面図、（Ｂ）は横断面図である。
【図２】二連ランプの製造工程を示す第一工程図である。
【図３】同第二工程図である。
【図４】同第三工程図である。
【図５】同第四工程図である。
【図６】同第五工程図である。
【図７】第二の参考例を示す二連ランプの一次射出による成型体の断面図である。
【図８】第二の参考例で製造された二連ランプの断面図である。
【図９】第三の参考例の二連ランプであって、（Ａ）は正面図、（Ｂ）は横断面図である。
【図１０】第三の参考例に用いる金型の実施形態であって、（Ａ）は二連ランプを成型するための二次射出工程を示し、（Ｂ）は単一ランプを成型するための二次射出工程を示す工程図である。
【図１１】本発明の実施の形態を示すリヤコンビネーションランプの正面図である。
【図１２】図１１のＸ−Ｘ断面図である。
【図１３】図１１のＹ−Ｙ断面図である。
【図１４】本発明の実施の形態を示す第一工程の概略端面図である。
【図１５】本発明の実施の形態を示す第二工程の概略端面図である。
【図１６】本発明の実施の形態を示す第三工程の概略端面図である。
【図１７】本発明の実施の形態を示す第四工程の概略端面図である。
【図１８】本発明の実施の形態を示す第五工程の概略端面図である。
【符号の説明】
【００２１】
１    照明装置
２    第一ランプ部
２ａ  レンズ部
３    第二ランプ部
３ａ  レンズ部
９、１０  二次射出される樹脂材
２１    リヤコンビネーションランプ
【図１】
0004533921.tif 000002
【図２】
0004533921.tif 000003
【図３】
0004533921.tif 000004
【図４】
0004533921.tif 000005
【図５】
0004533921.tif 000006
【図６】
0004533921.tif 000007
【図７】
0004533921.tif 000008
【図８】
0004533921.tif 000009
【図９】
0004533921.tif 000010
【図１０】
0004533921.tif 000011
【図１１】
0004533921.tif 000012
【図１２】
0004533921.tif 000013
【図１３】
0004533921.tif 000014
【図１４】
0004533921.tif 000015
【図１５】
0004533921.tif 000016
【図１６】
0004533921.tif 000017
【図１７】
0004533921.tif 000018
【図１８】
0004533921.tif 000019